(57)【要約】      （修正有）【課題】医用ラインへのコネクタの容易で安全な連結を可能にする、バルブ付雄型ルアーコネクタを提供する。【解決手段】入口部７と出口部８とを有する筒状部材６を包み込んだ弾性中空要素１２を、備えた、バルブ付雄型ルアーコネクタである。カラー１９が、軸方向に移動可能であり、弾性中空要素１の伸縮変形を生じさせて筒状部材の入口部７と出口部８との間の流体通路を開放する。入口部７は、ケーシング１に対して、両回転方向において回転可能である。【選択図】図１
2016165446.tif 000002
【特許請求の範囲】
【請求項１】
バルブ付雄型ルアーコネクタであって、
ケーシング（１）と、筒状部材（６）と、弾性中空要素（１２）と、カラー（１９）と、を備えており、
前記筒状部材（６）は、医用ラインに連結するよう構成された入口部（７）と、開放末端（１１）を備えた出口部（８）と、を有しており、
前記弾性中空要素（１２）は、前記ケーシング（１）に固定されており、前記筒状部材（６）を包み込んでおり、末端壁（１４）及びカット（１５）を有しており、前記末端壁（１４）は、前記筒状部材（６）の前記出口部（８）の前記末端（１１）を通常は密封閉鎖しており、
前記カラー（１９）は、前記ケーシング（１）と前記弾性中空要素（１２）との間に介設されており、前記雄型コネクタに連結可能な雌型コネクタによるスラスト係合に続いて軸方向に移動可能であり、前記筒状部材（６）の前記入口部（７）と前記出口部（８）との間の流体通路の開放を生じさせる前記弾性中空要素（１２）の伸縮変形を、生じさせるようになっており、
前記入口部（７）が、前記ケーシング（１）に対して回転可能である、
ことを特徴とするコネクタ。
【請求項２】
前記筒状部材（６）は、全体として、前記ケーシング（１）に対して回転可能である、
請求項１記載のコネクタ。
【請求項３】
前記筒状部材（６）は、前記ケーシング（１）に対して、相対する回転方向に自由回転可能である、
請求項２記載のコネクタ。
【請求項４】
前記ケーシング（１）は、前記出口部（８）の反対側に、中空付属体（４）を備えており、
前記筒状部材（６）は、前記中空付属体（４）を通して、その軸方向スナップ嵌合連結（２２、２３）に続いて回転可能に係合している、
請求項２記載のコネクタ。
【請求項５】
前記筒状部材（６）の前記出口部（８）を、液体不浸透性バリア（２１）を通して大気に連通しているように維持するために、前記ケーシング（１）に着脱可能に連結されるようになっている、プライミングキャップ（２０）を、更に備えている、
請求項１〜４のいずれか一つに記載のコネクタ。
【発明の詳細な説明】
【技術分野】
【０００１】
本発明は、概ね医用流体コネクタに関するものであり、特に、流体ラインに適用可能であり、２つのコネクタを通る流体通路を開放するために、概ね雌型等のコネクタに連結されるようになっている、バルブ付雄型ルアーコネクタに、関するものである。
【背景技術】
【０００２】
ケーシングと、医用ラインに連結するよう構成された入口部と開放末端を備えた出口部とを有する筒状部材と、を備えた、バルブ付雄型ルアーコネクタは、本件出願人のＥＰ−２５０４０５６Ｂ１から、公知である。ケーシングに固定された弾性中空要素は、筒状部材を囲んでおり、筒状部材の出口部の末端を通常は密封閉鎖する末端壁と、カットと、を有している。カラーは、ケーシングと弾性中空要素との間に介設されており、軸方向に移動可能であり、雄型コネクタに連結できる雌型コネクタとスラスト係合して、カットひいては筒状部材の入口部と出口部との間の流体通路の開放をもたらす弾性中空要素の伸縮変形を、生じさせる。
【先行技術文献】
【特許文献】
【０００３】
【特許文献１】ＥＰ−２５０４０５６Ｂ１
【特許文献２】ＥＰ−８３４６６５Ｂ１
【発明の概要】
【０００４】
本発明は、上述したバルブ付雄型ルアーコネクタの改良に関するものであり、特に、医用ラインへのコネクタの容易で安全な連結に関するものである。
【０００５】
本発明によれば、この目的は、筒状部材の入口部がケーシングに対して回転可能であるという事実によって、達成される。
【０００６】
この特徴により、バルブ付雄型ルアーコネクタは、使用中、一般にはフレキシブルダクトで構成された医用ラインへ、連結されると、医用ラインの捻りが効果的に避けられるという事実に基づいた容易な方法で、更には、その捻れによって医用ラインが不意に脱離するというリスクを回避するので、より安全に、雌型コネクタに連結されるよう操作できる。
【０００７】
筒状部材は、ケーシングに対して、相対する両回転方向において自由回転可能であり、本発明の好ましい実施形態によれば、コネクタの筒状部材は、その入口部を備えた一体物でできており、全体として、ケーシングに対して回転可能である。この場合、コネクタの本体は、入口部の側に、中空付属体を有しており、筒状部材は、コネクタの組み立て中、中空付属体を通して、その軸方向スナップ嵌合連結に続いて回転可能に係合している。
【図面の簡単な説明】
【０００８】
【図１】本発明のバルブ付コネクタの軸方向断面図である。
【発明を実施するための形態】
【０００９】
図１を参照して本発明の詳細を以下に説明するが、図１は単に非限定的実施例を示している。
【００１０】
図を参照して、（上述した文献ＥＰ−２５０４０５６Ｂ１で一般的に知られているような）本発明のバルブ付雄型ルアーコネクタは、ケーシング１を備えており、ケーシング１は、中空本体２と環状フランジ部３とで構成されている。環状フランジ部３は、取り外し不能に且つ軸方向に中空本体２に連結されており、反対側には、以下に説明する筒状付属体４が形成されている。
【００１１】
中空本体２は、フランジ３とは反対側に、内部ねじシート５を、有している。
【００１２】
本体２を軸方向に通って延びている筒状部材は、その全体が符号６で示されており、以下に説明する方法によって本体２に対して回転可能である。
【００１３】
筒状部材６は、入口部７を有している。入口部７は、好ましくは、筒状付属体４に一体に連結され且つ筒状付属体４の外側へ突出して、形成されており、また、医用ラインのフレキシブルダクトを連結するように構成されている。
【００１４】
筒状部材６は、反対側に、出口部８を有している。出口部８は、ねじシート５の外側に突出して、補足雌型コネクタが係合されるようになっている雄型ルアーロックコネクタを、画定している。補足雌型コネクタは、公知であるので、図示していない。例えば、出願人のために、雌型コネクタは、文献ＥＰ−８３４６６５Ｂ１で説明され図示されているバルブ付のものでもよい。
【００１５】
入口部７及び出口部８は、間隔を置いた一連の径方向通路９、１０を通して、互いに接続している。通路９、１０の相互連絡は、以下で明確にされるように、制御される。出口部８は、符号１１で示された開放末端を、有している。
【００１６】
符号１２で示された弾性中空要素は、一般的には弾性ゴム又はシリコーンゴムでできており、本体２とフランジ３との間でケーシング１に固定された環状ベース１３と、通常は筒状部材６の末端１１に面して配置された末端横断壁１４と、を備えており、末端１１を実質的には密封的に塞ぐために通常は閉じられているカット１５を、有している。
【００１７】
弾性中空要素１２は、内部に、第１、第２、及び第３密封環状レリーフを有しており、それぞれは、符号１６、１７、１８で示されており、筒状部材１６に接している。環状レリーフ１６は、筒状部材６の入口部７と出口部８との間の連絡を閉じたり開いたりするために、通路９、１０と相互作用する。図に示された状態では、通路９、１０は、互いに対して隔離されている。
【００１８】
カラーが符号１９で示されている。カラー１９は、ケーシング１の本体２と弾性中空要素１２との間に介設されており、また、弾性中空要素１２の伸縮変形によってコネクタへ通じる流体通路の開放を制御するようになっているアクチュエータ部材を、構成している。カラー１９は、前述した文献ＥＰ−２５０４０５６Ｂ１で述べたように、使用中に本体２のシート５と結合する雌型ルアーコネクタ等と、協働するようになっている。そのような結合により、雌型コネクタは、カラー１９を入口部７の方向へ押すように、カラー１９に対する軸スラストを発揮し、また、カット１５に通じる流体通路を開放するように、弾性中空要素１２の弾性的伸縮変形を発揮する。
【００１９】
プライミングキャップが符号２０で示されている。キャップ２０は、コネクタを、雌型コネクタとの結合前に少なくとも部分的に開放された状態に、維持するために、取り外し可能にケーシング１に適用できる。それ故、使用中、入口部７に結合したダクトから来る医用液体は、操作者によるプライミング介入を必要とすること無く、筒状部材６の末端１１に到達でき、したがって、雌型コネクタに結合する状態になっているバルブ付雄型ルアーコネクタを、作ることができ、医用液体を患者へ供給するのを可能とする。プライミングキャップ２０は、液体不浸透性の横断バリア２１を備えており、第１軸位置と第２軸位置との間で回転移動可能である。第１軸位置では、バルブ付コネクタは閉じたままである。第２軸位置では、バルブ付コネクタは、弾性要素１２を伸縮変形させて、径方向通路９と径方向通路１０との間、すなわち、筒状部材６の入口部７と出口部８との間の、連絡を、自由にする、と同時に、カット１５を開くように、カラー１９と相互作用する。したがって、入口部７とそれに関連して使用されるダクトは、膜２１を通して大気との連通が維持される。膜２１は、上述したように、ダクトから入って来る液体に対して不浸透性であるバリアを、構成している。よって、本発明のコネクタは、更なるプライミング操作を必要とすることなく、雌型コネクタと続いて連結する状態にある。実際のところ、雌型コネクタを適用できるようにするためにキャップ２０を取り外すので十分である。
【００２０】
上述したように、本発明の特徴によれば、相対的な入口部７を備えた筒状部材６は、ケーシング１に対して相対する両回転方向に自由回転可能である。このため、フランジ３の筒状付属体４は、内側環状レリーフ２２を備えて形成されており、筒状部材６の環状溝２３が、２つの軸方向ストップステップ２４、２５の間に形成されて、環状レリーフ２２と係合している。２つの軸方向ストップステップ２４、２５の内の２つ目の最内部のものは、より小さい径を有している。したがって、コネクタの組み立て中に、筒状部材６は、フランジ３の環状レリーフ２２に対して環状溝２３のスナップ嵌合連結が得られるまで、
ケーシング１内に軸方向に挿入される。そのようなスナップ嵌合連結に続いて、入口部７を備えた筒状部材６は、ケーシング１に対して回転可能であり軸方向にロックされる。したがって、使用中、ケーシング１は、入口部７に固定された医用ラインのダクトに対して回転することができ、それ故、コネクタの容易な取扱いだけでなくその安全性にとっても、有益である。コネクタとダクトとの間の自由回転は、実際に、ダクトが捻れてコネクタから不意に離れてしまう恐れを、防止する。
【００２１】
明らかに、構成の詳細及び実施形態は、説明し例示してきた内容に対して、以下の請求の範囲で画定された本発明の保護範囲から逸脱することなく、広く変更できる。したがって、例えば、入口部７又は７ａは、上述の実施形態では筒状部材６を備えた一体物でできているが、別体物でもよく、それ故、筒状部材から独立して回転可能でもよい。
【図１】
2016165446.tif 000003
【外国語明細書】
2016165446.tif 000004
2016165446.tif 000005
2016165446.tif 000006
2016165446.tif 000007
2016165446.tif 000008
2016165446.tif 000009
2016165446.tif 000010
2016165446.tif 000011
2016165446.tif 000012
2016165446.tif 000013